(57)【特許請求の範囲】
【請求項１】
中心部から下方に向かって放射状に広がる骨組構造と、該骨組構造を上方から覆うように設けたカバー体とを有し、前記骨組構造の下方に内部スペースが形成されるテントであって、  前記骨組構造は、４本以上のポールの一端部同士を連結することにより該中心部を構成し、該４本以上のポールの他端部により同一平面上の多角形が構成されるように、下方に末広がり状であり、  前記カバー体は、前記骨組構造の末広がり形状を構成する前記４本以上のポールに密着可能な大きさおよび形状を有し、前記カバー体の周縁部は、前記４本以上のポールに対して着脱自在であり、  前記カバー体の環状下部を上方に折り返すことにより、前記カバー体の環状下部の下方には、前記カバー体の非折り返し部の下方の内部スペースに連通する、テント内環状有効スペースが形成され、
前記カバー体の環状下部を上方に折り返した状態に保持する折り返し保持手段をさらに有し、
前記折り返し保持手段は、伸縮自在バーであり、前記ポールの下端部には、該伸縮自在バーの一端が回動自在に枢着され、該伸縮自在バーの他端は、前記カバー体の前記周縁部に連結され、前記伸縮自在バーの長さを調整することにより、前記テント内環状有効スペースの高さが調整可能である、ことを特徴とするテント。
【請求項２】
前記カバー体の上方に折り返した環状下部が非折り返し部側に倒れ込むのを防止する環状下部支持手段がさらに設けられる、請求項１に記載のテント。
【請求項３】
中心部から下方に向かって放射状に広がる骨組構造と、該骨組構造を上方から覆うように設けたカバー体とを有し、前記骨組構造の下方に内部スペースが形成されるテントであって、  前記骨組構造は、４本以上のポールの一端部同士を連結することにより該中心部を構成し、該４本以上のポールの他端部により同一平面上の多角形が構成されるように、下方に末広がり状であり、  前記カバー体は、前記骨組構造の末広がり形状を構成する前記４本以上のポールに密着可能な大きさおよび形状を有し、前記カバー体の周縁部は、前記４本以上のポールに対して着脱自在であり、  前記カバー体の環状下部を上方に折り返すことにより、前記カバー体の環状下部の下方には、前記カバー体の非折り返し部の下方の内部スペースに連通する、テント内環状有効スペースが形成され、
前記カバー体の前記環状下部の内周縁部には、周方向に間隔を隔てて複数の鳩目が設けられるとともに、前記ポールの、前記環状下部の該内周縁部に相当する位置には、前記ポールの延び方向と交差する方向に貫通穴が設けられ、前記複数の鳩目および前記貫通穴を通して結ばれる無端状のロープにより、前記カバー体と前記ポールとを固定する、ことを特徴とするテント。
【請求項４】
前記ポールは、８本であり、前記多角形が正八角形を構成するように、前記ポールの前記他端部の各々が地面に固定配置される、請求項１又は請求項３に記載のテント。
【請求項５】
中心部から下方に向かって放射状に広がる骨組構造と、該骨組構造を上方から覆うように設けたカバー体とを有し、前記骨組構造の下方に内部スペースが形成されるテントであって、  前記骨組構造は、４本以上のポールの一端部同士を連結することにより該中心部を構成し、該４本以上のポールの他端部により同一平面上の多角形が構成されるように、下方に末広がり状であり、  前記カバー体は、前記骨組構造の末広がり形状を構成する前記４本以上のポールに密着可能な大きさおよび形状を有し、前記カバー体の周縁部は、前記４本以上のポールに対して着脱自在であり、  前記カバー体の環状下部を上方に折り返すことにより、前記カバー体の環状下部の下方には、前記カバー体の非折り返し部の下方の内部スペースに連通する、テント内環状有効スペースが形成され、
前記カバー体は、前記カバー体の環状下部を上方に折り返すことにより、前記カバー体の環状下部を前記周縁部に向かって水平に保持可能なように、前記環状下部にマチ部を有する、ことを特徴とするテント。
【請求項６】
前記カバー体は、周方向に隣接する前記ポール間に跨る略三角形状カバー部と、周方向に隣接する略三角形状カバー部間に、前記カバー体の周縁部に抜けるように介在する前記マチ部とを有し、前記カバー体を折り返さない場合には、前記マチ部の延び方向に沿って前記ポールがあてがわれ、前記カバー体の環状下部を上方に折り返すことにより、前記カバー体の環状下部が前記周縁部に向かって水平に保持可能なように、該マチ部は、前記カバー体の周縁部に向かって末広状をなす、請求項５に記載のテント。
【請求項７】
前記略三角形状カバー部は、前記カバー体の周縁部に向かって末広状をなし、  前記伸縮自在バーの他端は、前記マチ部の前記周縁部に連結され、前記マチ部の延び方向に沿って下方に凹状の、前記テント内の煙の排出案内路が形成される、請求項６に記載のテント。
【請求項８】
前記カバー体は、前記カバー体を折り返さない状態で、前記ポールにより構成される多角形を底面とする略角錐状をなし、前記略三角形状カバー部は、頂部が前記中心部にあてがわれる二等辺三角形部と、該二等辺三角形部の底辺を上辺とする等脚台形部とを有し、前記マチ部が、該二等辺三角形部の各等辺と底辺との頂点から、周方向に隣接する該等脚台形部の脚部同士により、二等辺三角形状に構成されるように、該等脚台形部の形状が定められ、それにより、前記環状下部は、前記等脚台形部と前記マチ部とが周方向に交互に配列されることにより構成される、請求項６または請求項７に記載のテント。
【請求項９】
前記略三角形状カバー部および前記マチ部はそれぞれ、前記ポールの各々が前記二等辺三角形部の等辺に沿って配置可能なように、前記ポールの数だけ前記カバー体の周方向全体に亘って設けられる、請求項８に記載のテント。
【請求項１０】
中心部から下方に向かって放射状に広がる骨組構造と、該骨組構造を上方から覆うように設けたカバー体とを有し、前記骨組構造の下方に内部スペースが形成されるテントであって、  前記骨組構造は、４本以上のポールの一端部同士を連結することにより該中心部を構成し、該４本以上のポールの他端部により同一平面上の多角形が構成されるように、下方に末広がり状であり、  前記カバー体は、前記骨組構造の末広がり形状を構成する前記４本以上のポールに密着可能な大きさおよび形状を有し、前記カバー体の周縁部は、前記４本以上のポールに対して着脱自在であり、  前記カバー体の環状下部を上方に折り返すことにより、前記カバー体の環状下部の下方には、前記カバー体の非折り返し部の下方の内部スペースに連通する、テント内環状有効スペースが形成され、
前記カバー体は、前記中心部を中心とする点対称の一体平面状をなし、前記周縁部から中心に延びる切り込みが設けられ、該切り込みを通じて前記カバー体の周方向の部分同士を重ね合わせることにより、略円錐状を形成し、  前記カバー体は、前記カバー体の環状下部を上方に折り返すことにより、前記カバー体の環状下部を前記周縁部に向かって水平に保持可能なようにマチ部を有する、ことを特徴とするテント。
【請求項１１】
前記カバー体の重ね合わせ部の周方向長さを調整することにより、前記カバー体の略円錐形状が調整可能である、請求項１０に記載のテント。
【請求項１２】
前記カバー体は、布製であり、前記略三角形状カバー部と、前記マチ部とは、縫合される、請求項６ないし請求項９のいずれか１項に記載のテント。
【請求項１３】
前記カバー体は、ターポリン製であり、前記略三角形状カバー部と、前記マチ部とは、溶着される、請求項６ないし請求項９のいずれか１項に記載のテント。
【請求項１４】
前記マチ部と前記略三角形状カバー部とは、同材質であって、前記マチ部の厚みは、太陽光が前記マチ部を通じて前記テント内環状有効スペース内へ透光可能なように、前記略三角形状カバー部の厚みより薄い、請求項１２または請求項１３に記載のテント。
【請求項１５】
前記テント内には、前記正八角形の対角線状に配置される前記ポールから垂下する垂れ幕が設けられ、それにより、前記テント内スペースを仕切る、請求項４に記載のテント。
【請求項１６】
中心部から下方に向かって放射状に広がる骨組構造と、該骨組構造を上方から覆うように設けたカバー体とを有し、前記骨組構造の下方に内部スペースが形成されるテントであって、  前記骨組構造は、４本以上のポールの一端部同士を連結することにより該中心部を構成し、該４本以上のポールの他端部により同一平面上の多角形が構成されるように、下方に末広がり状であり、  前記カバー体は、前記骨組構造の末広がり形状を構成する前記４本以上のポールに密着可能な大きさおよび形状を有し、前記カバー体の周縁部は、前記４本以上のポールに対して着脱自在であり、  前記カバー体の環状下部を上方に折り返すことにより、前記カバー体の環状下部の下方には、前記カバー体の非折り返し部の下方の内部スペースに連通する、テント内環状有効スペースが形成され、
上方に折り返された前記カバー体の前記環状下部において、前記カバー体の前記周縁部から垂下する垂れ幕が設けられ、該垂れ幕により、前記テント内スペースと外部とを仕切る、ことを特徴とするテント。
【請求項１７】
前記中心部には、ルーフフレームが設けられ、該ルーフフレームは、各側面部が前記ポールに対する固定部を構成する正多角形体と、該正多角形体の上面から上方に向かって先細のカバー体支持部とを有し、前記固定部は、前記ポールの前記一端部を挟み込み可能な一対の板状体を有し、前記一対の板状体には、前記ポールに対してねじ締結するためのねじ穴が設けられる、請求項１ないし請求項１６のいずれか１項に記載のテント。
【請求項１８】
前記カバー体支持部は、前記上面の各辺から正多角形の中心線上の上方に向かって所定傾斜角度で延びる棒材を有し、        前記板状体は、前記棒材の延び方向と平行に斜め下方に延在し、  前記板状体の下端部に、前記ねじ穴が設けられる、請求項１７に記載のテント。
【請求項１９】
４本以上のポールの一端部同士を連結し、他端部により同一平面上の多角形が構成されるように、中心部から下方に向かって放射状に広がる骨組構造を形成する段階と、４本以上のポールの他端部の各々を地面に対して固定して、下方に末広状の骨組構造を直立する段階と、直立した骨組構造に対して、カバー体を上方から覆う段階と、カバー体の周縁部を４本以上のポールに対して着脱自在とした状態で、カバー体を骨組構造に対して固定する段階とを有し、
前記カバー体は、隣接する前記ポール間に跨る略三角形状カバー部と、隣接する略三角形状カバー部間に、前記カバー体の周縁部に抜けるように介在するマチ部とを有し、該略三角形状カバー部および該マチ部はいずれも、前記カバー体の周縁部に向かって末広状をなし、前記カバー体の環状下部を上方に折り返すことにより、前記カバー体の環状下部の下方には、前記カバー体の非折り返し部の下方のテント内スペースに連通する、テント内環状有効スペースを形成する段階をさらに有する、有することを特徴とするテントの組立方法。
【請求項２０】
前記カバー体は、前記カバー体を折り返さない状態で、前記ポールにより構成される多角形を底面とする略角錐状をなし、前記カバー体の内面に対して、前記マチ部の延び方向に沿って前記ポールをあてがうことにより、前記骨組構造の形状を定める段階を有する、請求項１９に記載のテントの組立方法。
【請求項２１】
前記カバー体の環状下部を上方に折り返すことにより、前記マチ部の延び方向に沿って下方に凹状の、前記カバー体の周縁部に向かうテント内の煙の排出案内路を形成する段階を有する、請求項２０に記載のテントの組立方法。
【請求項２２】
前記骨組構造の末広形状に応じて、前記カバー体の立体形状を調整する段階と、前記カバー体の内面に前記マチ部の延び方向に沿って前記ポールをあてがうことにより、前記骨組構造の安定化を行う段階とをさらに有する、請求項１９ないし請求項２１のいずれか１項に記載のテントの組立方法。
【請求項２３】
前記カバー体の環状下部を上方に折り返すことにより、前記マチ部は張り、それにより、前記環状下部が平面状に形成される、請求項９に記載のテント。
【発明の詳細な説明】
【技術分野】
【０００１】
本発明は、テントおよびテントの組立方法に関し、より詳細には、組立が容易でありながら、内部の有効スペースが確保可能で居住性に優れたテントおよびテントの組立方法に関する。
【背景技術】
【０００２】
従来から、レジャー用、災害時非常用に常設または仮設テントが多用されている。
特許文献１は、その一例として、折り畳み式テントを開示する。
より具体的には、４枚の略矩形状壁の両側縁が相隣る略矩形状壁の両側縁にそれぞれ折り畳み可能に連結されて筒状周壁体として構成された折り畳み式テントを開示する。
このような折り畳み式テントによれば、設置箇所への運搬が容易で、テント内への出入りが簡単で、特に車椅子に登場した利用者にとって使い勝ってのよいものとすることは可能である。
【０００３】
特許文献２は、その一例として、仮設テントを開示する。
より具体的には、夫々シート耳部保持手段を備えた複数のアーチ形フレームを所要間隔おきに並設し、帯状シートの両耳部を隣合うアーチ形フレームのシート耳部保持手段により保持して帯状シートを張設するようにした仮設テントにおいて、隣合うアーチ形フレームのシート耳部保持手段によって両耳部を保持された帯状シートの耳部近傍を上から押え付けて帯状シートを緊張させるためのシート緊張手段をアーチ形フレームに設けてなり、シート緊張手段は、前記帯状シートの耳部近傍を上から押え付ける両側一対の押え棒と、両押え棒をつなぐ複数の略下向きコ字状の連結金具とからなり、各コ字状連結金具は、その両端が両押え棒の夫々上側面部に固着されていて、アーチ形フレームの上部側に取り付けられるようになっている仮設テントを開示する。
このような折り畳み式テントによれば、隣合うアーチ形フレームのシート耳部保持手段によって両耳部を保持された帯状シートの耳部近傍を上から押え付けて帯状シートを緊張させるためのシート緊張手段をアーチ形フレームに設けたことにより、隣合うアーチ形フレーム間に予め弛緩状態で張設した帯状シートを、従来装置のようにアーチ形フレームを移動させることなく、このシート緊張手段によって簡単容易に緊張させることができ、従って仮設テントの施工を短時間で能率良く行うことができ、施工費の大幅な低減を図ることは可能である。
【０００４】
しかしながら、このような一般的なテントは、大きさの割には組立に手間を要し、テント内のスペースが狭いとともに、外観が単なる直方体、単なるドーム形状等であり、美観性に劣る。
また、たとえば、テント内で焚き火をした際、煙の逃げ道がないため、居住性に劣り、テント内を適宜仕切って使用することもできないことから、複数人がテント内部で各自のプラベイト空間を確保することも困難であり、使い勝手が悪い。
この点、いわゆるインディアンティピイテントは、自然素材の木の幹、枝、竹等をポールとして用い、複数のポールの一端同士を束ねて、そこから他端を放射状に広がるように骨組みし、その上をカバーで覆うものであり、カバーの周縁部はポールまたは地面に固定される。
【０００５】
以上より、先細形状で外観デザインに優れ、煙が先細の頂部から外部へ排出することが可能である。
しかしながら、先細形状ゆえに、余計に内部有効スペースが狭く、雨天の際には、頂部よりテント内部に雨が侵入し、組立には熟練性を要する。
さらには、インディアンティピイテントを常設テントとして用いる場合には、テント内の人数に応じて、内部有効スペースを適宜調整可能であることが望ましいが、そのような融通性にも欠ける。
【０００６】
【特許文献１】特許第５５７２７５１号
【特許文献２】特許第４０４１０１５号
【発明の開示】
【発明が解決しようとする課題】
【０００７】
以上の技術的問題点に鑑み、本発明の目的は、組立が容易でありながら、内部の有効スペースが確保可能で居住性に優れたテント、およびテントの組立方法を提供することにある。
以上の技術的問題点に鑑み、本発明の目的は、組立の際、内部の有効スペースが調整可能で、かつ居住性に優れたテント、およびテントの組立方法を提供することにある。
【課題を解決するための手段】
【０００８】
上記課題を達成するために、本願発明のテントは、
中心部から下方に向かって放射状に広がる骨組構造と、該骨組構造を上方から覆うように設けたカバー体とを有し、前記骨組構造の下方に内部スペースが形成されるテントであって、
前記骨組構造は、４本以上のポールの一端部同士を連結することにより該中心部を構成し、該４本以上のポールの他端部により同一平面上の多角形が構成されるように、下方に末広がり状であり、
前記カバー体は、前記骨組構造の末広がり形状を構成する前記４本以上のポールに密着可能な大きさおよび形状を有し、前記カバー体の周縁部は、前記４本以上のポールに対して着脱自在であり、
前記カバー体の環状下部を上方に折り返すことにより、前記カバー体の環状下部の下方には、前記カバー体の非折り返し部の下方の内部スペースに連通する、テント内環状有効スペースが形成される、構成としている。
【０００９】
以上の構成を有するテントによれば、４本以上のポールの一端部の各々を連結することにより中心部を構成し、４本以上のポールの他端部により同一平面上の多角形が構成されるように、下方に末広がり状とすることにより、中心部から下方に向かって放射状に広がる骨組構造を構成し、カバー体を、骨組構造を上方から覆うように設けることにより組立可能であり、カバー体は、骨組構造の末広がり形状を構成する４本以上のポールに密着可能な大きさおよび形状を有し、カバー体の周縁部は、４本以上のポールに対して着脱自在であることから、カバー体の周縁部を４本以上のポールから脱着して、カバー体の環状下部を上方に折り返すことにより、カバー体の環状下部の下方には、カバー体の非折り返し部の下方のテント内スペースに連通する、環状のテント内有効スペースが形成されることから、組立が容易でありながら、内部の有効スペースが確保可能で居住性に優れている。
【００１０】
さらに、前記カバー体の環状下部を上方に折り返した状態に保持する折り返し保持手段をさらに有するのがよい。
また、前記折り返し保持手段は、伸縮自在バーであり、前記ポールの下端部には、伸縮自在バーの一端が回動自在に枢着され、伸縮自在バーの他端は、前記カバー体の前記周縁部に連結され、
前記伸縮自在バーの長さを調整することにより、前記テント内環状有効スペースの高さが調整可能であるのがよい。
さらにまた、前記カバー体の上方に折り返した環状下部が非折り返し部側に倒れ込むのを防止する環状下部支持手段がさらに設けられるのがよい。
加えて、前記ポールは、８本であり、前記多角形が正八角形を構成するように、前記ポールの前記他端部が地面に固定配置されるのがよい。
【００１１】
さらに、前記カバー体は、周方向に隣接する前記ポール間に跨る略三角形状カバー部と、周方向に隣接する略三角形状カバー部間に、前記カバー体の周縁部に抜けるように介在する前記マチ部とを有し、
前記カバー体を折り返さない場合には、前記マチ部の延び方向に沿って前記ポールがあてがわれ、前記カバー体の環状下部を上方に折り返すことにより、前記カバー体の環状下部が前記周縁部に向かって水平に保持可能なように、該マチ部は、前記カバー体の周縁部に向かって末広状をなすのがよい。
また、前記略三角形状カバー部は、前記カバー体の周縁部に向かって末広状をなし、
前記伸縮自在バーの他端は、前記マチ部の前記周縁部に連結され、前記マチ部の延び方向に沿って下方に凹状の、前記テント内の煙の排出案内路が形成されるのがよい。
【００１２】
さらにまた、前記カバー体は、前記カバー体を折り返さない状態で、前記ポールにより構成される多角形を底面とする略角錐状をなし、
前記略三角形状カバー部は、頂部が前記中心部にあてがわれる二等辺三角形部と、該二等辺三角形部の底辺を上辺とする等脚台形部とを有し、
前記マチ部が、該二等辺三角形部の各等辺と底辺との頂点から、周方向に隣接する該等脚台形部の脚部同士により、二等辺三角形状に構成されるように、該等脚台形部の形状が定められ、
それにより、前記環状下部は、前記等脚台形部と前記マチ部とが周方向に交互に配列されることにより構成され、
前記中心部と前記頂点との距離、および前記マチ部の前記周縁部の長さは、水平折り返し部の所望する広さに応じて、決定するのがよい。
【００１３】
加えて、前記略三角形状カバー部および前記マチ部はそれぞれ、前記ポールの各々が前記二等辺三角形部の等辺に沿って配置可能なように、前記ポールの数だけ前記カバー体の周方向全体に亘って設けられるのがよい。
さらに、前記カバー体は、前記中心部を中心とする点対称の一体平面状をなし、前記周縁部から中心に延びる切り込みが設けられ、該切り込みを通じて前記カバー体の周方向の部分同士を重ね合わせることにより、略円錐状を形成し、
前記カバー体は、前記カバー体の環状下部を上方に折り返すことにより、前記カバー体の環状下部を前記周縁部に向かって水平に保持可能なようにマチ部を有するのがよい。
【００１４】
以上の構成を有するテントによれば、骨組構造の形状に適合させるために、カバー体の周縁部から中心に延びる切り込みを通じてカバー体の周方向の部分同士を重ね合わせることにより、略円錐状を形成可能であることから、組立の際、内部の有効スペースが調整可能で、かつカバー体は、カバー体の環状下部を上方に折り返すことにより、カバー体の環状下部を周縁部に向かって水平に保持可能なようにマチ部を有することから、内部の有効スペースが確保可能で居住性に優れている。
【００１５】
また、前記カバー体の重ね合わせ部の周方向長さを調整することにより、前記カバー体の略円錐形状が調整可能であるのがよい。
さらに、前記カバー体は、布製であり、前記略三角形状カバー部と、前記マチ部とは、縫合されるのがよい。
さらにまた、前記カバー体は、ターポリン製であり、前記略三角形状カバー部と、前記マチ部とは、溶着されるのがよい。
加えて、前記テント内には、前記正八角形の対角線状に配置される前記ポールから垂下する垂れ幕が設けられ、それにより、前記テント内スペースを仕切るのがよい。
【００１６】
また、上方に折り返された前記カバー体の前記環状下部において、前記カバー体の前記周縁部から垂下する垂れ幕が設けられ、該垂れ幕により、前記テント内スペースと外部とを仕切るのがよい。
さらに、前記カバー体の前記環状下部の内周縁部には、周方向に間隔を隔てて複数の鳩目が設けられるとともに、前記ポールの、前記環状下部の該内周縁部に相当する位置には、前記ポールの延び方向と交差する方向に貫通穴が設けられ、前記複数の鳩目および前記貫通穴を通して結ばれる無端状のロープにより、前記カバー体と前記ポールとを固定するのがよい。
加えて、前記マチ部と前記略三角形状カバー部とは、同材質であって、前記マチ部の厚みは、太陽光が前記マチ部を通じて前記テント内環状有効スペース内へ透光可能なように、前記略三角形状カバー部の厚みより薄いのがよい。
【００１７】
上記課題を達成するために、本願発明のテントの組立方法は、
４本以上のポールの一端部同士を連結し、他端部により同一平面上の多角形が構成されるように、中心部から下方に向かって放射状に広がる骨組構造を形成する段階と、
４本以上のポールの他端部の各々を地面に対して固定して、下方に末広状の骨組構造を直立する段階と、
直立した骨組構造に対して、カバー体を上方から覆う段階と、
カバー体の周縁部を４本以上のポールに対して着脱自在とした状態で、カバー体を骨組構造に対して固定する段階とを、構成としている。
【００１８】
さらに、前記カバー体は、隣接する前記ポール間に跨る略三角形状カバー部と、隣接する略三角形状カバー部間に、前記カバー体の周縁部に抜けるように介在するマチ部とを有し、該略三角形状カバー部および該マチ部はいずれも、前記カバー体の周縁部に向かって末広状をなし、
前記カバー体の環状下部を上方に折り返すことにより、前記カバー体の環状下部の下方には、前記カバー体の非折り返し部の下方のテント内スペースに連通する、テント内環状有効スペースを形成する段階をさらに有するのがよい。
さらにまた、前記カバー体は、前記カバー体を折り返さない状態で、前記ポールにより構成される多角形を底面とする略角錐状をなし、前記カバー体の内面に対して、前記マチ部の延び方向に沿って前記ポールをあてがうことにより、前記骨組構造の形状を定める段階を有するのがよい。
【００１９】
加えて、前記カバー体の環状下部を上方に折り返すことにより、前記マチ部の延び方向に沿って下方に凹状の、前記カバー体の周縁部に向かうテント内の煙の排出案内路を形成する段階を有するのがよい。
さらにまた、前記骨組構造の末広形状に応じて、前記カバー体の略円錐形状を調整する段階と、
前記カバー体の内面に前記マチ部の延び方向に沿って前記ポールをあてがうことにより、前記骨組構造の安定化を行う段階とをさらに有するのがよい。
また、前記カバー体の環状下部を上方に折り返すことにより、前記マチ部は張り、それにより、前記環状下部が平面状に形成されるのがよい。
【発明を実施するための最良の形態】
【００２０】
本発明に係るテントおよびテントの組立方法について、その実施形態を図面を参照しながら、以下に詳細に説明する。
図１に示すように、テント１０は、中心部１２から下方に向かって放射状に広がる骨組構造１４と、骨組構造１４を上方から覆うように設けたカバー体１６とを有し、骨組構造１４の下方に内部スペース３３が形成される。
【００２１】
骨組構造１４は、４本以上のポール１８の一端部２０同士を連結することにより中心部１２を構成し、４本以上のポール１８の他端部２２により同一平面上の多角形が構成されるように、下方に末広がり状である。
カバー体１６は、骨組構造１４の末広がり形状を構成する４本以上のポール１８に密着可能な大きさおよび形状を有し、カバー体１６の周縁部２６は、４本以上のポール１８に対して着脱自在である。
それにより、後に詳細に説明するように、カバー体１６の環状下部３０を上方に折り返すことにより、カバー体１６の環状下部３０の下方には、カバー体１６の非折り返し部３２の下方の内部スペース３３に連通する、テント１０内環状有効スペース３４が形成されるようにしてある。
具体的には、ポール１８は、８本であり、多角形が正八角形を構成するように、ポール１８の他端部２２の各々が地面ＧＬに固定配置される。
なお、骨組構造１４は、重さが数百キログラムに及ぶことから、地面ＧＬに穴を掘ってポール１８の他端部２２の各々を穴に固定する必要なしに、自立可能である。
ポールは、その長さは、数メートルにおよび、自然木の木の幹を利用してもよく、金属、樹脂製の人工ポールでもよく、その場合、中空管でもよい。
【００２２】
図１および図９に示すように、カバー体１６は、カバー体１６の環状下部３０を上方に折り返すことにより、カバー体１６の環状下部３０を周縁部２８に向かって水平に保持可能なように、環状下部３０にマチ部２６を有する。
図２に示すように、カバー体１６は、周方向に隣接するポール１８間に跨る略三角形状カバー部２４と、周方向に隣接する略三角形状カバー部２４間に、カバー体１６の周縁部２８に抜けるように介在するマチ部２６とを有する。後に説明するように、カバー体１６を折り返さない場合には、マチ部２６の延び方向に沿ってポール１８があてがわれ、カバー体１６の環状下部３０を上方に折り返すことにより、カバー体１６の環状下部３０が周縁部２８に向かって水平に保持可能なように、マチ部２６は、カバー体１６の周縁部２８に向かって末広状をなす。
【００２３】
略三角形状カバー部２４も、マチ部２６と同様に、カバー体１６の周縁部２８に向かって末広状をなし、カバー体１６は、カバー体１６を折り返さない状態で、ポール１８により構成される多角形を底面とする略角錐状（マチ部２６を考慮すれば、１６角形）をなす。略三角形状カバー部２４は、頂部が中心部にあてがわれる二等辺三角形部９０と、二等辺三角形部９０の底辺を上辺とする等脚台形部９２とを有する。マチ部２６が、二等辺三角形部９０の各等辺と底辺との頂点９４から、周方向に隣接する等脚台形部９２の脚部同士により、二等辺三角形状に構成されるように、等脚台形部９２の形状が定められ、それにより、環状下部３０は、等脚台形部９２とマチ部２６とが周方向に交互に配列されることにより構成される。この場合、中心部と頂点９４との距離D、およびマチ部２６の周縁部２８の長さW１は、水平折り返し部の所望する広さに応じて、決定すればよい。
略三角形状カバー部２４およびマチ部２６はそれぞれ、ポール１８の各々が二等辺三角形部９０の等辺に沿って配置可能なように、ポール１８の数（すなわち、８つ）だけカバー体１６の周方向全体に亘って設けられる。
【００２４】
カバー体１６は、布製、たとえば、綿帆布であり、略三角形状カバー部２４と、マチ部２６とは、縫合される。カバー体１６は、ターポリン製でもよく、略三角形状カバー部２４と、マチ部２６とは、溶着される。なお、後に説明するように、マチ部２６の内面は、テント１０内の煙の排出案内路３８として利用されることから、傷み易く消耗品であり、適宜マチ部２６は、交換するのがよい。
テントの寸法が、底面の径が約１０メートル以上、高さが約１０メートル以上の場合、カバー体１６の重量は、数十キログラム、綿帆布であれば、７０キログラム以上となり、カバー体１６の自重により、骨組構造１４に対して安定的に覆うことが可能である。
【００２５】
図２に示すように、カバー体１６の環状下部３０の内周縁部２６には、周方向に互いに間隔を隔てて複数の鳩目８０が設けられるとともに、ポール１８の、環状下部３０の内周縁部２６に相当する位置には、ポール１８の延び方向と交差する方向に貫通穴が設けられ、複数の鳩目８０および貫通穴を通して結ばれる無端状のロープ（図示せず）により、カバー体１６とポール１８とを固定する。これにより、テント１０を屋外で長期に亘って使用する場合に、嵐のような強風により、テント１０の内部からカバー体１６をポール１８から引き剥がす力が作用するが、このような力に対してもカバー体１６とポール１８とを固定保持し、全天候型用に使用することが可能である。この場合、テント１０内において、無端状のロープをランタン等の吊り下げに利用可能である。
【００２６】
図１、図３および図４に示すように、中心部１２には、金属製のルーフフレーム５２が設けられ、ルーフフレーム５２は、各側面部５４がポール１８に対する固定部５６を構成する正多角形体５８と、正多角形体５８の上面６０から上方に向かって先細のカバー体支持部６２とを有する。
固定部５６は、ポール１８の一端部２０を挟み込み可能な一対の板状体６４を有し、一対の板状体６４には、ポール１８に対してねじ締結するためのねじ穴６６が設けられる。
カバー体支持部６２は、上面６０の各辺から正多角形体５８の中心線上の上方に向かって所定傾斜角度で延びる棒材６８を有する。      傾斜角度は、カバー体の形状に適合させるように定めればよい。
板状体６４は、棒材６８の延び方向と平行に斜め下方に延在し、板状体６４の下端部に、ねじ穴６６が設けられる。このように、ポール１８の各々をルーフフレーム５２に対して回動自在にピン結合することにより、後に説明するように、骨組構造１４の組立を簡便に行うことが可能である。
【００２７】
このようなルーフフレーム５２によれば、従来のインディアンピティテントのように、複数のポールの一端同士をたとえば綱で縛って束ねることなく、正多角形体５８を利用して、複数のポール１８の一端同士を簡便に連結可能であり、しかも、カバー体１６を骨組構造１４の上方から覆い被せる際、カバー体支持部６２を利用して、カバー体１６の骨組構造１４に対する位置決めおよび支持が容易である。
特に、後に説明するように、骨組構造１４を組み立てて自立させる際、正多角形体５８の各側面５４に対してポール１８を固定して、複数のポール１８をルーフフレーム５２から放射状に配置した状態で、ルーフフレーム５２を上方に引き上げることにより、骨組構造１４の底面を構成するポール１８により形成される正多角形の大きさを任意に変えることが可能である。
【００２８】
図１および図５に示すように、ポール１８の下端部には、伸縮自在バー４０の一端４２がピン４９により回動自在に枢着され、伸縮自在バー４０の他端４４は、カバー体１６の周縁部２６に設けた鳩目８０に突起体４９を嵌め込み連結される。伸縮自在バー４０は、内管４５と外管４１との嵌合構造であり、アイボルト４３により、カバー体１６の環状下部３０を上方に折り返した状態に保持する折り返し保持手段として機能するようにしてあるとともに、伸縮自在バー４０の長さを調整することにより、テント１０内環状有効スペース３４の高さＨが調整可能である。
この場合において、図１に示すように、伸縮自在バー４０の他端４４は、マチ部２６の周縁部２８に連結されることから、マチ部２６の延び方向に沿って下方に凹状の、テント内の煙の排出案内路３８が形成される。
より詳細には、マチ部２６の周縁部２８が伸縮自在バー４０により下方より支持される一方、マチ部２６の両側に隣接する略三角形状カバー部２４各々は、下方より支持されないことから、下方に弛み、それにより、マチ部２６の環状下部３０には、非折り返し部３２と折り返し部との境界部から周縁部２８に向かって、下方に凹状のテント内の煙の排出案内路３８が形成され、非折り返し部３２のスペースに溜まりがちな煙を排出案内路３８を通じて外部に排出することが可能である。マチ部２６の周縁部２８には、隣接する略三角形状カバー部２４との境界部、および境界部同士の真ん中それぞれに計３つの鳩目８０を設けているが（図２参照）、この観点からは、伸縮自在バー４０の一端４２は、境界部同士の真ん中の鳩目８０に連結するのがよい。
【００２９】
図９に示すように、上方に折り返されたカバー体１６の環状下部３０において、カバー体１６の周縁部２６から垂下する垂れ幕４８が設けられ、垂れ幕４８により、テント１０内スペースと外部とを仕切る。垂れ幕４８は、周方向に隣接するポール１８間の区画ごとに複数設け、垂れ幕４８の下部をポール１８に着脱自在に固定して、垂れ幕４８の側部、すなわちポール１８との固定部を適宜着脱して出入り口に利用すればよい。
【００３０】
なお、テント１０内には、正八角形の対角線状に配置されるポール１８から垂下する垂れ幕（図示せず）が設けられ、それにより、テント１０内スペースを仕切るのがよい。
【００３１】
以上の構成を有するテント１０について、その作用をテント１０の組立方法を含め、以下に詳細に説明する。
概略的には、テント１０の組立方法は、４本以上のポール１８の一端部２０同士を連結し、他端部２２により同一平面上の多角形が構成されるように、中心部１２から下方に向かって放射状に広がる骨組構造１４を形成する段階と、４本以上のポール１８の他端部２２の各々を地面ＧＬに対して固定して、下方に末広状の骨組構造１４を直立する段階と、直立した骨組構造１４に対して、カバー体１６を上方から覆う段階と、カバー体１６の周縁部２６を４本以上のポール１８に対して着脱自在とした状態で、カバー体１６を骨組構造１４に対して固定する段階とを、有する。
【００３２】
より具体的には、まず地面ＧＬに、テント１０の底面の目標径、たとえば、８m50cmの円を描く。
次いで、その円の中心に、カバー体支持部６２の尖端部を上に向けてルーフフレーム５２を配置する。
次いで、一端に、それぞれ伸縮自在バー４０を事前に連結した８本のポール１８を、ルーフフレーム５２を中心として、放射状に、周方向に等間隔を隔てて配置し、各板状体６４に対してねじ締結によりピン結合する。
次いで、ルーフフレーム５２の先端部分を、たとえばユニックを使ってクレーン（図示せず）で引き上げ、８m50cmの円に８本のポール１８それぞれの他端が位置するように、引き上げ高さを微調整する。このクレーンの引き上げにより、骨組構造１４の末広形状が変化する。
以上により、図６に示すように、骨組構造１４は、自重により地面ＧＬに対して安定的に自立する。
【００３３】
次いで、たとえば、同じユニックのクレーンを使い、カバー体１６の先端部分を、骨組構造１４の頂部より高い位置まで引き上げる。
次いで、図７および図８に示すように、カバー体１６を吊るクレーンを下ろし、カバー体１６を骨組構造１４の上方から覆い被せる。この場合、カバー体１６は、略角錐状をなし、カバー体１６の内面に対して、マチ部２６の延び方向に沿ってポール１８をあてがうことにより、骨組構造１４の形状を安定化することが可能である。
次いで、伸縮自在バー４０の他端４４をカバー体１６の周縁部２６に設けている鳩目８０の穴に差し込む。
次いで、張り綱１０２の一端をカバー体１６の周縁部２６に設けている鳩目８０に、好ましくは、鳩目８０から上方に突出する伸縮自在バー４０の突起体４９に掛け、他端を地面ＧＬにアンカーを打ち、張り綱１０２を固定する。これにより、カバー体１６の上方に折り返した環状下部３０が非折り返し部３２側に倒れ込むのを防止することが可能である。
以上により、テントの組立が完了する。
【００３４】
この場合、カバー体１６は、隣接するポール１８間に跨る略三角形状カバー部２４と、隣接する略三角形状カバー部２４間に、カバー体１６の周縁部２６に抜けるように介在するマチ部２６とを有し、略三角形状カバー部２４およびマチ部２６はいずれも、カバー体１６の周縁部２６に向かって末広状をなすことから、カバー体１６の環状下部３０を上方に折り返すことにより、カバー体１６の環状下部３０の下方には、カバー体１６の非折り返し部３２の下方のテント１０内スペースに連通する、テント内環状有効スペース３４を形成することが可能である。より具体的には、テント内環状有効スペース３４を形成する段階は、伸縮自在バー４０の長さを調整することにより、テント１０内環状有効スペース３４の高さＨを調整することが可能である。
この場合、マチ部２６の環状下部３０には、非折り返し部３２と折り返し部との境界部から周縁部２８に向かって、下方に凹状のテント内の煙の排出案内路３８が形成される。
カバー体１６の環状下部３０を上方に折り返すことにより、マチ部２６は張り、それにより、環状下部３０が平面状に形成されるようにすることにより、雨天の際、環状下部３０に水が溜まったりするのを未然に防止することが可能である。
なお、テント１０の組立後に、伸縮自在バー４０の長さを適宜調整することにより、テント内環状有効スペース３４の高さＨを調整し、テント内環状有効スペース３４をたとえば、くつろぎスペース、食事スペース等に活用すればよい。
【００３５】
以上の構成を有するテント１０によれば、４本以上のポール１８の一端部２０の各々を連結することにより中心部１２を構成し、４本以上のポール１８の他端部２２により同一平面上の多角形が構成されるように、下方に末広がり状とすることにより、中心部１２から下方に向かって放射状に広がる骨組構造１４を構成し、カバー体１６を、骨組構造１４を上方から覆うように設けることにより組立可能であり、カバー体１６は、隣接するポール１８間に対応する略三角形状カバー部２４と、隣接する略三角形状カバー部２４間に、カバー体１６の周縁部２８に抜けるように介在するマチ部２６とを有し、略三角形状カバー部２４およびマチ部２６はいずれも、カバー体１６の周縁部２８に向かって末広状をなすことから、カバー体１６の環状下部３０を上方に折り返すことにより、カバー体１６の環状下部３０の下方には、カバー体１６の非折り返し部３２の下方のテント１０内スペースに連通する、環状のテント内有効スペース３４が形成されるとともに、マチ部２６の環状下部３０には、非折り返し部３２と折り返し部との境界部から周縁部２８に向かって、下方に凹状のテント内の煙の排出案内路３８が形成されることから、組立が容易でありながら、内部の有効スペース３４が確保可能で居住性に優れている。
【００３６】
特に、テント内環状有効スペース３４を確保するのに、カバー体１６の環状下部３０を上方に折り返して水平に保持するために、カバー体１６に非折り返し部３２との境界部から周縁部２８に向かって延びるマチ部２６を設けるところ、テントの組立の際には、骨組構造１４のポール１８各々をマチ部２６の延び方向に沿ってあてがうことにより、マチ部２６を各ポール１８のカバー体１６に対する位置決めのための目印として利用可能であるとともに、略円錐状のカバー体１６のマチ部２６の内面にポール１８を位置決めすることにより、骨組構造１４の形状安定化に寄与することも可能であり、さらに、カバー体１６の環状下部３０を上方に折り返した状態で、伸縮自在バー４０を利用して、マチ部２６の周縁部２８を下方から支持することにより、支持部以外は自重で下方に弛むことから、マチ部２６において、非折り返し部３２との境界部から周縁部２８に向かって延びる下向きに凹の経路が形成されるところ、この経路をテント内の煙の排出案内路３８として活用することも可能である。
【００３７】
この場合、マチ部２６について、カバー体１６の環状下部３０を折り返さず、カバー体１６全体で骨組構造を上方から覆う場合には、マチ部２６を構成する二等辺三角形の等辺同士が重なり合った状態で下方に弛み、カバー体１６の環状下部３０を折り返して水平に張り出す場合には、マチ部２６の弛みは消失し、ピンと張った状態となるのがテント１０の外観上好ましいが、マチ部２６自体は弾力性があるので、マチ部２６の周縁部２８を伸縮調整バーにより下方から支持することにより、非折り返し部３２との境界部から周縁部２８に向かって延び、下方に凹の煙の排出案内路３８を形成可能である。
【００３８】
本発明に係るテントの第２実施形態を図面を参照しながら、以下に詳細に説明する。
下の説明において、第１実施形態と同様な構成要素については、同様な参照番号を付することによりその説明は省略し、以下では、本実施形態の特徴部分について詳細に説明する。
本発明の第２実施形態の特徴は、カバー体１６にあり、第１実施形態においては、カバー体１６は、マチ部２６と略三角形状カバー部２４とを縫合することにより、略円錐形状に形成されていたが、本実施形態においては、カバー体１６は、円形の平面状であり、一体物であり、マチ部２６を有しないが、周縁部２８から中心まで延びる切り込み９８を有する。
【００３９】
より詳細には、図１０に示すように、カバー体１６は、中心部１２を中心とする点対称の一体平面状をなし、周縁部２６から中心に延びる切り込み９８が設けられ、切り込み９８を通じてカバー体１６の周方向の部分同士を重ね合わせることにより、略円錐状を形成する。カバー体１６の重ね合わせ部１０４の周方向長さを調整することにより、カバー体１６の略円錐形状が調整可能である。重ね合わせ部１０４同士は、従来既知のやり方で固定すればよい。
これにより、第１実施形態においては、カバー体１６は  正八角形の角錐の骨組構造１４にのみ適用可能な専用品であったが、本実施形態においては、任意多角形の角錐の骨組構造１４に適用可能な汎用品である。
【００４０】
本実施形態においては、テントの組立の際、マチ部２６を利用してポール１８を位置決めすることができず、カバー体１６の環状下部３０の折り返しの際、マチ部２６がないので、環状下部３０が中心部１２から周縁部２８に向かって上方に傾斜し、しかも、マチ部２６を利用して、テント１０内の煙の排出案内路３８を形成することもできないが、たとえば、屋内の狭いスペースで使用する場合、非折り返し部３２と折り返し部との間に雨水が溜まる恐れなく、設置スペースに応じて、テント内スペースの広さを調整することが可能であるとともに、カバー体１６を単純形状の一体物とすることにより、安価に製作することが可能である。
変形例として、第１実施形態と同様に、カバー体１６にマチ部２６を設けることにより、カバー体１６の環状下部３０の折り返しの際、環状下部３０が中心部１２から周縁部２８に向かって水平に保持することが可能であるとともに、骨組構造１４の末広形状に応じて、重ね合わせ部１０４を利用して、カバー体１６の略円錐形状を調整し、カバー体１６の内面にマチ部２６の延び方向に沿ってポール１８をあてがうことにより、骨組構造１４の安定化を行うことが可能である。
【００４１】
以上、本発明の実施形態を詳細に説明したが、本発明の範囲から逸脱しない範囲内において、当業者であれば、種々の修正あるいは変更が可能である。
たとえば、本実施形態において、骨組構造１４をポール１８を８本用いて正八角形を底面とするものとして説明したが、それに限定されることなく、４本以上のポール１８を用いて、多角形を底面とするものでよい。
たとえば、本実施形態において、８本のポール１８は各々、同じ長さの直棒のものとして説明したが、それに限定されることなく、８本のポール１８のうち長さが異なるものがあってもよく、湾曲状であってもよい。
【００４２】
たとえば、本実施形態において、カバー体１６に関し、マチ部２６が各々がカバー体１６の周方向に隣接する略三角形状カバー部２４間に介在する複数のものとして説明したが、それに限定されることなく、カバー体１６の周方向の幅が大きい単一のマチ部２６を設けてもよい。
たとえば、第１実施形態において、カバー体１６に関し、マチ部２６が存在するものとして説明したが、それに限定されることなく、カバー体１６の折り返し部が周縁部２８に向かって上方に傾斜するのを許容する限り、マチ部２６がないものであってもよい。
【００４３】
たとえば、本実施形態において、カバー体１６に関し、複数のマチ部２６が互いに同じ形状、複数の略三角形状カバー部２４が互いに同じ形状のものとして説明したが、それに限定されることなく、マチ部２６の延び方向に沿ってポール１８をあてがい、略三角形状カバー部２４ごとにテント内環状有効スペース３４の一部が形成されることを前提に、テント内環状有効スペース３４の一部に要求される広さに応じて、複数のマチ部２６のうち異なる形状、複数の略三角形状カバー部２４のうち異なる形状のものがあってもよい。
【００４４】
たとえば、本実施形態において、テント内環状有効スペース３４の高さに関し、略三角形状カバー部２４ごとにテント内環状有効スペース３４の一部が形成されることを前提に、伸縮自在バー４０の長さを共通として、テント内環状有効スペース３４の高さを均一なものとして説明したが、それに限定されることなく、伸縮自在バー４０の長さをカバー体１６の周方向の位置に応じて変えることにより、テント内スペースの使い勝手に応じて、テント内環状有効スペース３４の一部が高さの異なるものとしてもよい。
たとえば、本実施形態において、カバー体１６のポール１８への固定態様について、カバー体１６の環状下部の内周縁部２８、すなわち、カバー体１６の折り返し部と非折り返し部３２との境界部において、無端状ロープを用いてカバー体１６をポール１８へ固定するものとして説明したが、それに限定されることなく、カバー体１６の環状下部の内周縁部２８より中心部寄りで固定してもよく、特に、仮設屋外テントで天候が安定した季節に用いる場合には、カバー体１６を複数のポール１８の何本かに固定するだけでもよく、テントの大きさが大きく、カバー体の重量が数十キログラムに及ぶ場合には、カバー体の自重のみで骨組構造を安定的に覆うことが可能である。
【００４５】
たとえば、本実施形態において、垂れ幕４８に関し、複数の垂れ幕４８を各々略三角形状カバー部２４ごとに、カバー体１６の周縁部２８全体に亘って設け、テント内スペースを外部と仕切るものとして説明したが、それに限定されることなく、たとえば、ある略三角形状カバー部２４に相当する部位に、垂れ幕を敢て設けず、そこをテント内スペースの出入り口としてもよい。
たとえば、本実施形態において、テント内環状有効スペース３４に関し、略三角形状カバー部２４ごとにテント内環状有効スペース３４の区画が形成されることを前提に、伸縮自在バー４０の長さおよびカバー体１６の周方向に隣接するポール１８同士の中心角度を共通として、テント内環状有効スペース３４の区画同士を均一な空間のものとして説明したが、それに限定されることなく、テント内環状有効スペース３４の区画に要求される広さに応じて、伸縮自在バー４０の長さおよび隣接するポール１８同士の中心角度を調整して、異なる広さの区画により構成されるテント内環状有効スペース３４としてもよい。
たとえば、本実施形態において、カバー体１６を折り返さない場合、骨組構造１４全体を上方から覆うものとして説明したが、それに限定されることなく、カバー体１６を折り返さない状態でカバー体１６の周縁部２８が地面に達せず、カバー体１６の周縁部２８からの垂れ幕４８を利用して、地面まで覆うようにしてもよい。
【図面の簡単な説明】
【００４６】
【図１】本発明の第１実施形態に係るテント１０の組み立てた状態の側面図である。
【図２】本発明の第１実施形態に係るテント１０の組み立てた状態の平面図である。
【図３】本発明の第１実施形態に係るテント１０において、ルーフフレーム５２の概略平面図である。
【図４】本発明の第１実施形態に係るテント１０において、ルーフフレーム５２の概略側面図である。
【図５】本発明の第１実施形態に係るテント１０において、伸縮自在バー４０の全体図である。
【図６】本発明の第１実施形態に係るテント１０において、骨組構造を自立させた状態の外観図である。
【図７】本発明の第１実施形態に係るテント１０において、骨組構造にカバー体１６を覆いかぶせた状態の外観図である。
【図８】本発明の第１実施形態に係るテント１０において、骨組構造にカバー体１６を覆いかぶせた状態の上方を見上げた内観図である。
【図９】本発明の第１実施形態に係るテント１０において、カバー体１６を折り返した状態で、周縁部に垂れ幕を張った状態の全体斜視図である。
【図１０】本発明の第２実施形態に係るテント１０において、図９と同様な図である。
【符号の説明】
【００４７】
ＧＬ  地面
Ｈ  折り返し部の高さ
Ｗ  張り出し幅  
Ｗ１  マチ部の周縁部幅
Ｄ  中心からマチ部の頂点までの距離
１０  テント
１２  中心部
１４  骨組構造
１６  カバー体
１８  ポール
２０  一端部
２２  他端部
２４  略三角形状カバー部
２８  周縁部
２６  マチ部
３０  環状下部
３２  非折り返し部
３３  内部スペース
３４  テント内環状有効スペース
３６  弛み部
３８  排出案内路
４０  伸縮自在バー
４１  外管
４２  一端
４３  アイボルト
４４  他端
４５  内管
４８  垂れ幕
４９  ピン止め部
５２  ルーフフレーム
５４  側面部
５６  固定部
５８  正多角形体
６２  カバー体支持部
６４  板状体
６６  ねじ穴
６８  棒材
６０  上面
８０  鳩目
８２  ロープ
８４  貫通穴
８６  境界部
９０  二等辺三角形部
９２  等脚台形部
９４  頂点
９６  脚部
９８  切り込み
１００  張り出し部
１０２  張り綱
１０４  重なり部
【要約】      （修正有）【課題】組立が容易であり、内部の有効スペースが確保可能で居住性に優れたテントおよびテントの組立方法を提供する。【解決手段】中心部１２から下方に向かい放射状に広がる骨組構造１４と、骨組構造１４を上方から覆うように設けたカバー体１６とを有するテント１０であり、骨組構造１４は、４本以上のポール１８の一端部同士を連結することにより中心部１２を構成し、４本以上のポール１８の他端部により同一平面上の多角形が構成されるように、下方に末広がり状であり、カバー体１６は、骨組構造１４の末広がり形状を構成する４本以上のポール１８に密着可能な大きさと形状を有し、カバー体１６の周縁部は、４本以上のポール１８に対して着脱自在であり、カバー体１６の環状下部を上方に折り返すことにより、カバー体１６の環状下部の下方には、カバー体１６の非折り返し部の下方のテント内スペースに連通する、テント内環状の有効スペースが形成される。【選択図】図１【図１】
0005984034.tif 000002
【図２】
0005984034.tif 000003
【図３】
0005984034.tif 000004
【図４】
0005984034.tif 000005
【図５】
0005984034.tif 000006
【図６】
0005984034.tif 000007
【図７】
0005984034.tif 000008
【図８】
0005984034.tif 000009
【図９】
0005984034.tif 000010
【図１０】
0005984034.tif 000011